(57)【特許請求の範囲】
【請求項１】
袋本体の開口部の内面に取り付けられて該開口部を開閉自在に閉じる嵌合具であって、
一対の帯状の基材と、
前記一対の基材のそれぞれの対向面に長手方向に沿って設けられ、互いに着脱自在に嵌合する一対の嵌合部と、
少なくとも一方の前記基材の対向面における前記嵌合部よりも袋本体の開口部側に配置される側端側に長手方向に沿って設けられた内側リブと、を有し、
前記内側リブが、前記基材の対向面から立ち上がるリブ本体部と、該リブ本体部における前記嵌合部側に形成された、開封時に指を引っ掛ける突起部とを有していることを特徴とする嵌合具。
【請求項２】
前記一対の基材の両方に前記内側リブが形成されている、請求項１に記載の嵌合具。
【請求項３】
前記一対の基材のそれぞれに、それら基材の短手方向の位置がずれるように前記内側リブが形成されている、請求項１又は２に記載の嵌合具。
【請求項４】
内容物を収容する袋本体と、該袋本体の開口部の内面に設けられた請求項１〜３のいずれか一項に記載の嵌合具とを具備し、
前記内側リブが前記嵌合部よりも前記開口部側に配置されている嵌合具付き袋体。
【発明の詳細な説明】
【技術分野】
【０００１】
本発明は、嵌合具及び嵌合具付き袋体に関する。
【背景技術】
【０００２】
食品、薬品、雑貨等の様々な分野において、袋本体の開口部近傍の内面に、開口部を開閉自在に封じる嵌合具が取り付けられた嵌合具付き袋体が広く用いられている。例えば、一対の帯状の基材のそれぞれの対向面に、突条の雄側嵌合部及び該雄側嵌合部に着脱自在に嵌合する雌側嵌合部が、それら基材の長手方向に沿ってそれぞれ設けられた嵌合具を備えた嵌合具付き袋体が知られている。該嵌合具付き袋体では、嵌合具の雄側嵌合部と雌側嵌合部を嵌合することにより、袋体に形成した開口を閉じることができる。また、嵌合具が取り付けられた袋本体の各々の開口端をそれぞれ把持し、それらを離間する方向に引っ張って雄側嵌合部を雌側嵌合部から脱離させることで、袋体を再び開封することができる。
【０００３】
しかし、従来の嵌合具付き袋体は、嵌合具で閉じられた開口部を開封する際、袋本体の開口端を把持する指が滑って開封が困難なことがある。一方、例えば、図８に例示したように、基材の開口部側の対向面にリブを形成した嵌合具１１０が知られている（例えば、特許文献１）。嵌合具１１０は、一対の帯状の基材１１１，１１２と、基材１１１，１１２のそれぞれの対向面１１１ａ，１１２ａに長手方向に沿って設けられた雄側嵌合部１１３及び雌側嵌合部１１４と、基材１１１，１１２のそれぞれの対向面１１１ａ，１１２ａにおける雄側嵌合部１１３及び雌側嵌合部１１４よりも開口部側に長手方向に沿って設けられたリブ１１５，１１６と、を有している。
このような嵌合具１１０が取り付けられた嵌合具付き袋体は、袋本体の開口端と共に嵌合具の基材１１１，１１２を把持し、嵌合具１１０の基材１１１，１１２に設けられたリブ１１５，１１６に指を引っ掛けることで、リブが形成されていない嵌合具が取り付けられた場合に比べて袋本体の開口端を把持する際に指が滑り難い。
【先行技術文献】
【特許文献】
【０００４】
【特許文献１】米国特許第３８２７４７２号明細書
【発明の概要】
【発明が解決しようとする課題】
【０００５】
しかし、前記嵌合具付き袋体のように、基材１１１，１１２の対向面１１１ａ，１１２ａにリブ１１５，１１６が設けられていても、指が滑ることを抑制して袋本体の開口端を安定して把持できるようにする効果はまだ充分とは言えない。
【０００６】
本発明は、袋本体における嵌合具によって閉じられた開口部を開封する際、袋本体の開口端をより安定に把持することができ、簡便に開封操作が行える嵌合具、及び該嵌合具が取り付けられた嵌合具付き袋体の提供を目的とする。
【課題を解決するための手段】
【０００７】
本発明の嵌合具は、袋本体の開口部の内面に取り付けられて該開口部を開閉自在に閉じる嵌合具であって、
一対の帯状の基材と、
前記一対の基材のそれぞれの対向面に長手方向に沿って設けられ、互いに着脱自在に嵌合する一対の嵌合部と、
少なくとも一方の前記基材の対向面における前記嵌合部よりも袋本体の開口部側に配置される側端側に長手方向に沿って設けられた内側リブと、を有し、
前記内側リブが、前記基材の対向面から立ち上がるリブ本体部と、該リブ本体部における前記嵌合部側に形成された、開封時に指を引っ掛ける突起部とを有していることを特徴とする。
【０００８】
また、本発明の嵌合具は、前記一対の基材の両方に前記内側リブが形成されていることが好ましい。
また、前記一対の基材のそれぞれに、それら基材の短手方向の位置がずれるように前記内側リブが形成されていることが好ましい。
【０００９】
本発明の嵌合具付き袋体は、内容物を収容する袋本体と、該袋本体の開口部の内面に設けられた本発明の嵌合具とを具備し、前記内側リブが前記嵌合部よりも前記開口部側に配置されている。
【発明の効果】
【００１０】
本発明の嵌合具は、袋本体における嵌合具によって閉じられた開口部を開封する際、袋本体の開口端をより安定に把持することができ、簡便に開封操作が行える。
また、本発明の嵌合具付き袋体は、本発明の嵌合具が取り付けられているので、開口部を開封する際、袋本体の開口端をより安定に把持することができ、簡便に開封操作が行える。
【図面の簡単な説明】
【００１１】
【図１】本発明の嵌合具の一例を示した断面図である。
【図２】本発明の嵌合具付き袋体の一例を示した正面図である。
【図３】図２の嵌合具付き袋体を直線Ｉ−Ｉ’で切断したときの断面図である。
【図４】図２の嵌合具付き袋体を開封した様子を示した斜視図である。
【図５】本発明の嵌合具の他の例を示した断面図である。
【図６】図５の嵌合具が取り付けられた嵌合具付き袋体の断面図である。
【図７】本発明の嵌合具の他の例を示した断面図である。
【図８】従来の嵌合具の一例を示した断面図である。
【発明を実施するための形態】
【００１２】
［嵌合具］
以下、本発明の嵌合具の一例を示して詳細に説明する。図１は、本発明の嵌合具の一例である嵌合具１０を長手方向に対して垂直に切断したときの断面図である。
嵌合具１０は、一対の帯状の第１の基材１１及び第２の基材１２と；第１の基材１１及び第２の基材１２のそれぞれの対向面１１ａ，１２ａに長手方向に沿って設けられた雄側嵌合部１３及び雌側嵌合部１４と；第１の基材１１及び第２の基材１２のそれぞれの対向面１１ａ，１２ａにおける雄側嵌合部１３及び雌側嵌合部１４よりも一方の側端１１ｂ，１２ｂ側に、長手方向に沿って設けられた内側リブ１５，１６と；を有している。雄側嵌合部１３及び雌側嵌合部１４は、互いに着脱自在に嵌合することができる。
嵌合具１０は、袋本体に取り付ける際、第１の基材１１及び第２の基材１２の一方の側端１１ｂ，１２ｂ（以下、それぞれ単に「側端１１ｂ］、「側端１２ｂ」という。）側を、袋本体の開口部側、第１の基材１１及び第２の基材１２の他方の側端１１ｃ，１２ｃ（以下、それぞれ単に「側端１１ｃ］、「側端１２ｃ」という。）を袋本体の内容物側にして取り付ける。
【００１３】
第１の基材１１は、特に限定されず、公知の嵌合具の基材に使用されるものが使用でき、積層フィルムからなる基材が好ましい。積層フィルムからなる第１の基材１１としては、例えば、対向面１１ａ側から、耐熱層とヒートシール層が積層されたフィルムが挙げられる。また、第１の基材１１は、耐熱層とヒートシール層の間にバリア層を有していてもよい。
耐熱層の材質としては、二軸延伸ナイロン、二軸延伸ポリプロピレン等が挙げられる。
ヒートシール層の材質としては、直鎖状低密度ポリエチレン、無延伸ポリプロピレン、エチレン−酢酸ビニル共重合体、アイオノマー等が挙げられる。
バリア層の材質としては、ポリビニルアルコール等が挙げられる。
【００１４】
第１の基材１１は、１種の樹脂からなっていてもよく、２種以上の樹脂を含む樹脂組成物からなっていてもよい。また、必要に応じて安定剤、酸化防止剤、滑剤、帯電防止剤、着色剤等の公知の添加剤が添加されていてもよい。
また、第１の基材１１は、積層フィルムからなる基材には限定されず、単層フィルムからなる基材であってもよい。
第２の基材１２としては、第１の基材１１と同じ基材が挙げられ、好ましい態様も同じである。
【００１５】
雄側嵌合部１３は、第１の基材１１の対向面１１ａから立ち上がる幹部１３ａと、幹部１３ａの先端部に設けられ、幹部１３ａよりも大きい断面略半円形状の頭部１３ｂを有している。また、雌側嵌合部１４は、第２の基材１２の対向面１２ａから断面円弧状に立ち上がる第１のアーム部１４ａと第２のアーム部１４ｂからなり、第１のアーム部１４ａと第２のアーム部１４ｂによって凹部１４ｃが形成されている。雄側嵌合部１３と雌側嵌合部１４は、雄側嵌合部１３の頭部１３ｂを雌側嵌合部１４の凹部１４ｃに嵌め込むことで、着脱自在に嵌合できるようになっている。
【００１６】
雄側嵌合部１３及び雌側嵌合部１４の断面形状は、雄側嵌合部１３と雌側嵌合部１４を互いに着脱することで、袋本体の開口部の開閉が繰り返し行えるものであればよく、公知の断面形状を採用できる。
雄側嵌合部１３及び雌側嵌合部１４の材質としては、第１の基材１１及び第２の基材１２と同じ材質が使用できる。
【００１７】
内側リブ１５は、第１の基材１１の対向面１１ａにおける雄側嵌合部１３よりも側端１１ｂ側に、第１の基材１１の長手方向に沿って設けられている。つまり、内側リブ１５は、第１の基材１１の対向面１１ａにおける雄側嵌合部１３よりも開口部側に設けられている。
内側リブ１５は、第１の基材１１の対向面１１ａから立ち上がるリブ本体部１５ａと、リブ本体部１５ａにおける雄側嵌合部１３側に形成された突起部１５ｂと、を有している。このように、内側リブ１５におけるリブ本体部１５ａの雄側嵌合部１３側に、雄側嵌合部１３方向に向かって延びる突起部１５ｂが形成されていることで、内側リブ１５の雄側嵌合部１３側に指を引っ掛けやすくなる。そのため、袋本体の開口部の内面に嵌合具１０を取り付けた状態で、袋本体の開口端と第１の基材１１の開口部側を共に把持する際、指が滑り難く安定して袋本体の開口端と第１の基材１１を把持することができる。
【００１８】
リブ本体部１５ａに対する突起部１５ｂの位置は、指をより引っ掛けやすくなることから、リブ本体部１５ａの先端に近いことが好ましく、リブ本体部１５ａの先端部分の雄側嵌合部１３側から、雄側嵌合部１３方向に延びるように形成されていることが特に好ましい。
【００１９】
内側リブ１５のリブ本体部１５ａの高さｄ２は、雄側嵌合部１３と雌側嵌合部１４を嵌合したときの第１の基材１１の対向面１１ａと第２の基材１２の対向面１２ａとの距離に対して、０．２倍〜１．０倍が好ましく、０．３倍〜０．９倍がより好ましい。前記リブ本体部１５ａの高さｄ２が前記範囲の下限値以上であれば、内側リブ１５の雄側嵌合部１３側に指を引っ掛けることが容易になり、袋本体の開口端と共に第１の基材１１をより安定に把持できる。また、前記リブ本体部１５ａの高さｄ２が前記範囲の上限値以下であれば、第１の基材１１と第２の基材の間に指を挿し入れて内側リブ１５の雄側嵌合部１３側に指を引っ掛けることが容易になり、袋本体の開口端と共に第１の基材１１を安定に把持できる。
【００２０】
突起部１５ｂの長さｄ１（突起部１５ｂにおけるリブ本体部１５ａ側の基端から先端までの距離）は、リブ本体部１５ａの高さｄ２に対して、０．１倍〜０．６倍が好ましく、０．２倍〜０．５倍がより好ましい。前記突起部１５ｂの長さｄ１が前記範囲の下限値以上であれば、内側リブ１５の雄側嵌合部１３側に指を引っ掛けることが容易になり、袋本体の開口端と共に第１の基材１１をより安定に把持できる。また、前記突起部１５ｂの長さｄ１が前記範囲の上限値以下であれば、突起部１５ｂに指を引っ掛けた際、突起部１５ｂが撓むことによる指の滑りが発生しにくくなる。
【００２１】
内側リブ１５のリブ本体部１５ａの断面形状は、この例では台形状である。ただし、リブ本体部１５ａの断面形状は特に限定されず、三角形状等であってもよい。リブ本体部１５ａの幅は特に限定されない。
内側リブ１５の突起部１５ｂの断面形状は、この例では正方形である。ただし、突起部１５ｂの断面形状は特に限定されず、三角形状等であってもよい。
なお、内側リブ１５におけるリブ本体部１５ａ及び突起部１５ｂの断面形状とは、嵌合具１０を短手方向に沿って切断したときの断面形状である。後述する内側リブ１６、外側リブ１７，１８についても同様である。
【００２２】
内側リブ１６は、第２の基材１２の対向面１２ａにおける雌側嵌合部１４よりも側端１２ｂ側に、第２の基材１２の長手方向に沿って設けられている。つまり、内側リブ１６は、第２の基材１２の対向面１２ａにおける雌側嵌合部１４よりも開口部側に設けられている。
内側リブ１６は、第２の基材１２の対向面１２ａから立ち上がるリブ本体部１６ａと、リブ本体部１６ａにおける雌側嵌合部１４側に形成された突起部１６ｂと、を有している。このように、内側リブ１６におけるリブ本体部１６ａの雌側嵌合部１４側に、雌側嵌合部１４方向に向かって延びる突起部１６ｂが形成されていることで、内側リブ１６の雌側嵌合部１４側に指を引っ掛けやすくなる。そのため、袋本体の開口部の内面に嵌合具１０を取り付けた状態で、袋本体の開口端と第２の基材１２の開口部側を共に把持する際、指が滑り難く安定して袋本体の開口端と第２の基材１２を把持することができる。
【００２３】
リブ本体部１６ａに対する突起部１６ｂの位置は、内側リブ１５の場合と同様に、指がより引っ掛けやすくなることから、リブ本体部１６ａの先端に近いことが好ましく、リブ本体部１６ａの先端部分の雌側嵌合部１４側から、雌側嵌合部１４方向に延びるように形成されていることが特に好ましい。
【００２４】
内側リブ１６のリブ本体部１６ａの高さｄ４は、内側リブ１５のリブ本体部１５ａの高さｄ２と同じ理由から、雄側嵌合部１３と雌側嵌合部１４を嵌合したときの第１の基材１１の対向面１１ａと第２の基材１２の対向面１２ａとの距離に対して、０．２倍〜１．０倍が好ましく、０．３倍〜０．９倍がより好ましい。
また、突起部１６ｂの長さｄ３（突起部１６ｂにおけるリブ本体部１６ａ側の基端から先端までの距離）は、内側リブ１５の突起部１５ｂの長さｄ１と同じ理由から、リブ本体部１６ａの高さｄ４に対して、０．１倍〜０．６倍が好ましく、０．２倍〜０．５倍がより好ましい。
【００２５】
内側リブ１６のリブ本体部１６ａの断面形状は、この例では台形状である。ただし、リブ本体部１６ａの断面形状は特に限定されず、三角形状等であってもよい。リブ本体部１６ａの幅は特に限定されない。
内側リブ１６の突起部１６ｂの断面形状は、この例では正方形である。ただし、突起部１６ｂの断面形状は特に限定されず、三角形状等であってもよい。
【００２６】
内側リブ１５と内側リブ１６は、この例のように、第１の基材１１及び第２の基材１２の短手方向の位置がずれるように形成されていることが好ましい。これにより、袋体の開口部を開封する際に、嵌合具１０の第１の基材１１及び第２の基材１２に形成された内側リブ１５と内側リブ１６にそれぞれ指を引っ掛けることが容易になる。
具体的には、この例では、第１の基材１１における雄側嵌合部１３から側端１１ｂまでの長さが、第２の基材１２における雌側嵌合部１４から側端１２ｂまでの長さよりも長くなっており、第１の基材１１の側端１１ｂ近傍と第２の基材１２の側端１２ｂ近傍にそれぞれ内側リブ１５と内側リブ１６が設けられていることで、内側リブ１５と内側リブ１６の短手方向の位置がずれるようになっている。
内側リブ１５と内側リブ１６がこのように形成されると、内側リブ１５に指を引っ掛けるときに内側リブ１６が邪魔にならないので、内側リブ１５に指を引っ掛けやすい。また、第１の基材１１を把持した手で第１の基材１１の開口部側を開いた状態で内側リブ１６に指を引っ掛けることができるので、内側リブ１６に指を引っ掛けることも容易である。
なお、内側リブ１５と内側リブ１６を短手方向にずれるように設ける態様は、前記した態様には限定されない。例えば、第１の基材１１における雄側嵌合部１３から側端１１ｂまでの長さと、第２の基材１２における雌側嵌合部１４から側端１２ｂまでの長さは同じにして、内側リブ１５と内側リブ１６を、それぞれの位置が短手方向にずれるように第１の基材１１と第２の基材１２に設けてもよい。
【００２７】
嵌合具１０では、前述のように、第１の基材１１における雄側嵌合部１３から側端１１ｂまでの長さが、第２の基材１２における雌側嵌合部１４から側端１２ｂまでの長さに比べて長くなっている。これにより、嵌合具１０を袋体に取り付けた際に、第１の基材１１と第２の基材１２の開口部側に段差が生じるため、嵌合具１０によって袋体を閉じた状態でも第１の基材１１の側端１１ｂ側を掴むことが容易になる。そして、第１の基材１１の側端１１ｂ側を開いて第２の基材１２の側端１２ｂ側を容易に掴むことができる。このように、第１の基材１１と第２の基材１２の開口部側に段差を生じさせることで、嵌合具１０によって閉じた袋体の再開封がさらに容易になる。
【００２８】
内側リブ１５は、第１の基材１１の長手方向に沿って連続的に設けられていても、第１の基材１１の長手方向に沿って断続的に破線状に設けられていてもよい。袋体の開封時に指が掛かりやすく、開封性に優れる点から、内側リブ１５は第１の基材１１の長手方向に沿って連続的に設けられていることが好ましい。内側リブ１６も同様に、第２の基材１２の長手方向に沿って連続的に設けられていても、第２の基材１２の長手方向に沿って断続的に破線状に設けられていてもよい。袋体の開封時に指が掛かりやすく、開封性に優れる点から、第２の基材１２の長手方向に沿って連続的に設けられていることが好ましい。
また、内側リブ１５は、雄側嵌合部１３と平行して設けられていてもよく、雄側嵌合部１３に対して傾斜して設けられていてもよい。内側リブ１６も同様に、雌側嵌合部１４と平行して設けられていてもよく、雌側嵌合部１４に対して傾斜して設けられていてもよい。
【００２９】
また、内側リブ１５及び内側リブ１６の数は、この例では、それぞれ１つずつであるが、この形態には限定されない。内側リブ１５の数は２つ以上であってもよい。内側リブ１６の数も２つ以上であってもよい。
【００３０】
［嵌合具付き袋体］
以下、前述した嵌合具１０を備えた嵌合具付き袋体１（以下、「袋体１」という。）について説明する。
本実施形態の袋体１は、図２に示すように、内容物を収容する密封された状態の袋本体２０と、袋本体２０内の上部の内面に、横方向に沿って取り付けられた嵌合具１０とを有している。
袋本体２０は、第１のフィルム材２１と第２のフィルム材２２が重ね合わされ、それらの周縁部２３が全てヒートシールされることで形成されており、密封された状態になっている。また、袋本体２０における嵌合具１０よりも上部側には、横方向に沿って切断補助線２４が設けられており、その端部にノッチ２５が形成されている。
嵌合具１０は、図３に示すように、嵌合具１０の第１の基材１１の外側面１１ｄが袋本体２０の第１のフィルム材２１に溶着され、嵌合具１０の第２の基材１２の外側面１２ｄが袋本体２０の第２のフィルム材２２に溶着されている。また、嵌合具１０は、第１の基材１１及び第２の基材１２の側端１１ｂ及び側端１２ｂ側が開口部側、第１の基材１１及び第２の基材１２の側端１１ｃ及び側端１２ｃ側が内容物側となるように取り付けられている。
【００３１】
袋本体２０の形状は、本実施形態では矩形である。ただし、袋本体２０の形状は矩形には限定されない。また、袋本体２０の大きさも特に限定されず、袋本体２０に収容する内容物によって適宜選定すればよい。
【００３２】
袋本体２０を形成する第１のフィルム材２１と第２のフィルム材２２は、ヒートシールにより嵌合具１０を溶着できるものであればよく、内面側からシーラント層と基材層を少なくとも有する積層フィルムが好ましい。
基材層としては、二軸延伸ナイロン、二軸延伸ポリプロピレン等が挙げられる。
シーラント層としては、直鎖状低密度ポリエチレン、無延伸ポリプロピレン、エチレン−酢酸ビニル共重合体、アイオノマー等が挙げられる。
また、前記積層フィルムには、バリア層等の機能層を設けてもよい。
また、第１のフィルム材２１と第２のフィルム材２２は、シーラント層のみからなる単層フィルムであってもよい。
【００３３】
切断補助線２４は、袋本体２０を切断して開封するのを補助する線である。切断補助線２４としては、例えば、袋本体２０の第１のフィルム材２１及び第２のフィルム材２２における切断補助線２４の部分をそれ以外の部分に比べて薄肉化した弱化線、ミシン目からなる弱化線、列状に形成された細孔からなる弱化線が挙げられる。また、切断補助線２４は、前記弱化線には限定されず、ハサミやカッター等で切断する位置を示す、印刷等で形成した線であってもよい。
切断補助線２４は、本実施形態では袋本体２０の幅方向に沿って形成されているが、この形態には限定されず、袋本体２０の幅方向に対して傾斜して設けられていてもよい。
【００３４】
ノッチ２５の形状は、この例では三角形状であるが、特に限定されず、半円形状、直線状等であってもよい。
【００３５】
袋体１は、ノッチ２５から切断補助線２４に沿って袋本体２０の上部を切断して除去することで、図４に示すように、上部に開口部２６を形成して開封することができる。袋体１に形成した開口部２６は、嵌合具１０の雄側嵌合部１３と雌側嵌合部１４を着脱することで繰り返し開閉できる。
袋体１は、嵌合具１０を用いているため、内側リブ１５の雄側嵌合部１３側の突起部１５ｂ、及び内側リブ１６の雌側嵌合部１４側の突起部１６ｂにそれぞれ指を容易に引っ掛けることができ、袋本体２０における開口端２１ａ，２２ａと共に、嵌合具１０の第１の基材１１及び第２の基材１２の開口部２６側を安定して把持できる。そのため、袋体１は嵌合具１０によって閉じた開口部２６を簡便に開封できる。
【００３６】
なお、本発明の嵌合具及び嵌合具付き袋体は、前述した嵌合具１０及び袋体１には限定されない。
例えば、本発明の嵌合具は、図５に例示した嵌合具１０Ａであってもよい。嵌合具１０Ａにおける嵌合具１０と同じ部分には、同符号を付して説明を省略する。
嵌合具１０Ａは、第１の基材１１の外側面１１ｄにおける側端１１ｂ側（開口部側）に、第１の基材１１の長手方向に沿って外側リブ１７が設けられ、第２の基材１２の外側面１２ｄにおける側端１２ｂ側（開口部側）に、第２の基材１２の長手方向に沿って外側リブ１８が設けられている以外は、嵌合具１０と同じである。
【００３７】
外側リブ１７は、第１の基材１１における側端１１ｂと雄側嵌合部１３の間の外側面１１ｄに、第１の基材１１の長手方向に沿って設けられている。外側リブ１７は、嵌合具１０によって袋体の開口部を閉じた際、図６に示すように、袋本体２０の開口端２１ａを押し広げることができるようになっている。これにより、嵌合具１０によって袋体を閉じた状態において袋本体２０の開口端２１ａ，２２ａが密着することを抑制でき、それら開口端２１ａ，２２ａを容易に把持できるようになる。
【００３８】
外側リブ１７の断面形状は、この例では、台形形状である。ただし、外側リブ１７の断面形状は、特に限定されず、円形状、三角形状等であってもよい。外側リブ１７の高さは、嵌合具１０によって袋体を閉じた状態において、開口端を充分に押し広げることができる高さであればよく、第１の基材１１における短手方向の位置に応じて適宜設定すればよい。外側リブ１７の幅は特に限定されない。
【００３９】
外側リブ１７は、内側リブ１５よりも雄側嵌合部１３側に位置していることが好ましい。外側リブ１７が内側リブ１５よりも雄側嵌合部１３側であれば、嵌合具１０によって袋体の開口を閉じた際、袋本体２０の開口端２１ａがより大きく押し広げられるので、開口端２１ａをより把持しやすくなる。
なお、図７に示すように、外側リブ１７と内側リブ１５の短手方向の位置は、同じであってもよい。
【００４０】
外側リブ１７は、第１の基材１１の長手方向に沿って連続的に設けられていても、第１の基材１１の長手方向に沿って断続的に破線状に設けられていてもよい。嵌合具１０によって閉じた袋体の開口端がより安定して押し広げられやすい点から、第１の基材１１の長手方向に沿って連続的に設けられていることが好ましい。
また、外側リブ１７は、雄側嵌合部１３と平行して設けられていてもよく、雄側嵌合部１３に対して傾斜して設けられていてもよい。
また、外側リブ１７の数は、この例では１つであるが、２つ以上であってもよい。
【００４１】
外側リブ１８は、第２の基材１２における側端１２ｂと雌側嵌合部１４の間の外側面１２ｄに、第２の基材１２の長手方向に沿って設けられている。外側リブ１８は、外側リブ１７と同様、図６に示すように、袋本体２０の開口端２２ａを押し広げることができるようになっている。これにより、嵌合具１０によって袋体を閉じた状態において袋本体２０の開口端２１ａ，２２ａが密着することを抑制でき、それら開口端２１ａ，２２ａを容易に把持できるようになる。
【００４２】
外側リブ１８の断面形状は、この例では、台形形状である。ただし、外側リブ１８の断面形状は、特に限定されず、円形状、三角形状等であってもよい。外側リブ１８の高さは、嵌合具１０によって袋体を閉じた状態において、開口端を充分に押し広げることができる高さであればよく、第２の基材１２における短手方向の位置に応じて適宜設定すればよい。外側リブ１８の幅は特に限定されない。
【００４３】
外側リブ１８は、外側リブ１７と同様の理由から、内側リブ１６よりも雌側嵌合部１４側に位置していることが好ましい。なお、図７に示すように、外側リブ１８と内側リブ１６の短手方向の位置は、同じであってもよい。
外側リブ１８は、第２の基材１２の長手方向に沿って連続的に設けられていても、第２の基材１２の長手方向に沿って断続的に破線状に設けられていてもよい。嵌合具１０によって閉じた袋体の開口端がより安定して押し広げられやすい点から、第２の基材１２の長手方向に沿って連続的に設けられていることが好ましい。
また、外側リブ１８は、雌側嵌合部１４と平行して設けられていてもよく、雌側嵌合部１４に対して傾斜して設けられていてもよい。
また、外側リブ１８の数は、この例では１つであるが、２つ以上であってもよい。
【００４４】
また、本発明の嵌合具は、前述した内側リブが一方の基材の対向面のみに形成されている嵌合具であってもよい。ただし、嵌合具１０のように、両方の基材に前述した内側リブが設けられている方が、より安定して袋本体の開口端と基材を把持でき、より簡便に開封作業が行える点で好ましい。
【００４５】
また、嵌合具付き袋体の袋本体は特に限定されず、嵌合具付き袋体の袋本体として知られる様々な形態の袋本体を採用できる。例えば、袋体１は切断補助線２４を利用して開封するまでは密封状態の袋体であったが、予め開口部が形成された袋本体を有する嵌合具付き袋体であってもよい。
【符号の説明】
【００４６】
１  嵌合具付き袋体
１０，１０Ａ  嵌合具
１１  第１の基材
１２  第２の基材
１３  雄側嵌合部
１４  雌側嵌合部
１５，１６  内側リブ
１５ａ，１６ａ  リブ本体部
１５ｂ，１６ｂ  突起部
１７，１８  外側リブ
【図１】
0005982122.tif 000002
【図２】
0005982122.tif 000003
【図３】
0005982122.tif 000004
【図４】
0005982122.tif 000005
【図５】
0005982122.tif 000006
【図６】
0005982122.tif 000007
【図７】
0005982122.tif 000008
【図８】
0005982122.tif 000009